(57)【要約】【課題】無線通信により需要家の電力設備の故障状況を知ることができ、故障状況に応じて対応できる。【解決手段】故障状況確認システム１は、電力量計２と通信可能な無線通信機器３、端末４及びサーバ５が、無線ネットワーク６を介して通信可能に接続されて構成される。電力量計２は、需要家ごとに設置された計器であり、従来電力会社の担当者が検針時に見て回っていたものである。無線通信機器３は、電力量計２から電圧データや電流データを取得しつつ、サーバ５からの要求に応じて又は定期的に電力量計２に関するデータを送信する。端末４は、電力会社の担当者が故障対応のために需要家に出向く場合に携行し、需要家までの経路を参照する端末である。サーバ５は、電力会社の営業所などに設置され、需要家から電力設備の故障の連絡があった場合に、当該需要家の電力量計２に関するデータを無線通信機器３から受信し、そのデータに応じて故障の原因を表示する。【選択図】図１
2008022676.tif 000002
【特許請求の範囲】
【請求項１】
電力の需要家ごとに設置された電力量計と、
前記電力量計の番号及び位置データを予め第１の記憶部に記憶するとともに、前記電力量計から電圧データを取得し、前記第１の記憶部に記憶する無線通信機器と、
前記無線通信機器と通信可能なサーバと、
を含んで構成され、
前記サーバは、
配電系統の構成を示し、前記電力量計の番号を含む配電系統データ、並びに前記無線通信機器から取得した前記電力量計の番号ごとの位置データ及び電圧データを記憶する第２の記憶部と、
電力設備の故障が生じた需要家について、当該需要家に設置された電力量計の番号を取得する入力部と、
前記第２の記憶部に記憶された当該電力量計の番号の電圧データが正常である場合に、当該電力設備の故障の原因が屋内線故障であると判断し、当該電力量計の番号の電圧データが正常でない場合に、前記配電系統データに基づいて当該需要家付近の電力量計の番号を特定し、特定した電力量計の番号の電圧データが正常であるか否かをチェックして、屋内線故障でない当該電力設備の故障の原因を判断する処理部と、
前記処理部が判断した当該電力設備の故障の原因を表示する表示部と、
を備える
ことを特徴とする故障状況確認システム。
【請求項２】
前記処理部は、前記電圧データが正常であるか否かを、前記電圧データが所定値以上であるか否かによってチェックする
ことを特徴とする請求項１に記載の故障状況確認システム。
【請求項３】
前記需要家への経路を表示するナビゲーション端末をさらに含んで構成され、
前記サーバの前記第２の記憶部は、管轄地域の地図データをさらに記憶し、
前記サーバの前記処理部は、当該電力量計の位置データ及びその位置データ付近の地図データを前記ナビゲーション端末に送信し、
前記ナビゲーション端末は、前記サーバから当該電力量計の位置データ及び当該地図データを受信し、ＧＰＳ衛星から受信したＧＰＳ信号又は最寄りの無線通信機器から受信した位置データにより特定した現在地を起点とし、当該電力量計の位置データを終点とする経路を当該地図データ上に示したものを表示する
ことを特徴とする請求項１又は請求項２に記載の故障状況確認システム。
【請求項４】
電力の需要家ごとに設置された電力量計と、
前記電力量計の番号及び位置データを予め第１の記憶部に記憶するとともに、前記電力量計から電圧データを取得し、前記第１の記憶部に記憶する無線通信機器と、
前記無線通信機器と通信可能なサーバと、
を含んで構成されるシステムにより電力設備の故障状況を確認する方法であって、
前記サーバが、配電系統の構成を示し、前記電力量計の番号を含む配電系統データ、並びに前記無線通信機器から取得した前記電力量計の番号ごとの位置データ及び電圧データを第２の記憶部に記憶するステップと、
前記サーバが、電力設備の故障が生じた需要家について、当該需要家に設置された電力量計の番号を取得するステップと、
前記サーバが、前記第２の記憶部に記憶された当該電力量計の番号の電圧データが正常である場合に、当該電力設備の故障の原因が屋内線故障であると判断し、当該電力量計の番号の電圧データが正常でない場合に、前記配電系統データに基づいて当該需要家付近の電力量計の番号を特定し、特定した電力量計の番号の電圧データが正常であるか否かをチェックして、屋内線故障でない当該電力設備の故障の原因を判断するステップと、
前記サーバが、前記判断した当該電力設備の故障の原因を表示するステップと、
を含むことを特徴とする故障状況確認方法。
【発明の詳細な説明】
【技術分野】
【０００１】
本発明は、電力量計を使用して電力設備の故障状況を確認するシステムに関する。
【背景技術】
【０００２】
従来、電力量計の検針や電力設備の故障対応を行うにあたっては、電力会社の担当者が各需要家宅まで足を運んで、各需要家宅に設置された電力量計や電力設備を見て回る必要があった。そこで、各需要家宅を回ることなく検針が可能な、電力線搬送による情報収集システムが提案されている（特許文献１参照）。この情報収集システムによれば、電力線搬送により収集した情報を遠隔地のどこからでもアクセスできるとされている。
【特許文献１】特開平６−７７８６１号公報
【発明の開示】
【発明が解決しようとする課題】
【０００３】
ところで、特許文献１の情報収集システムは、電話線による公衆通信網に接続できる端末であれば、どこでも情報収集ができるとしているが、有線によるデータ通信であるが故に無線通信と比較して使い勝手が悪いという問題がある。また、特許文献１には、情報収集を行った後の対応措置については記載されていない。
【０００４】
本発明は、上記課題を鑑みてなされたものであり、無線通信により需要家の電力設備の故障状況を知ることができ、故障状況に応じて対応できる手段を提供することを主たる目的とする。
【課題を解決するための手段】
【０００５】
上記課題を解決するために、本発明は、電力の需要家ごとに設置された電力量計と、前記電力量計の番号及び位置データを予め第１の記憶部に記憶するとともに、前記電力量計から電圧データを取得し、前記第１の記憶部に記憶する無線通信機器と、前記無線通信機器と通信可能なサーバとを含んで構成され、前記サーバが、配電系統の構成を示し、前記電力量計の番号を含む配電系統データ、並びに前記無線通信機器から取得した前記電力量計の番号ごとの位置データ及び電圧データを記憶する第２の記憶部と、電力設備の故障が生じた需要家について、当該需要家に設置された電力量計の番号を取得する入力部と、前記第２の記憶部に記憶された当該電力量計の番号の電圧データが正常である場合に、当該電力設備の故障の原因が屋内線故障であると判断し、当該電力量計の番号の電圧データが正常でない場合に、前記配電系統データに基づいて当該需要家付近の電力量計の番号を特定し、特定した電力量計の番号の電圧データが正常であるか否かをチェックして、屋内線故障でない当該電力設備の故障の原因を判断する処理部と、前記処理部が判断した当該電力設備の故障の原因を表示する表示部とを備えることを特徴とする。
【０００６】
この構成によれば、需要家から電力設備の故障の連絡があった場合に、現地に出かける前に、故障の原因が屋内線故障であるか否かを判定できるので、屋内線故障であるときには、需要家にブレーカの操作を依頼するなどして無用な出張を減らすことができる。また、屋内線故障でないときには、需要家まで出張する必要があるが、故障の原因が表示されるので、誰がどういう体制で行くべきか、何を持って行くべきかなどについて事前に検討し、準備することができる。
【０００７】
また、本発明は、故障状況確認システムであって、前記処理部が、前記電圧データが正常であるか否かを、前記電圧データが所定値以上であるか否かによってチェックすることを特徴とする。  
この構成によれば、電圧データが正常であるか否かのチェックを簡単に行うことができる。
【０００８】
また、本発明は、故障状況確認システムであって、前記需要家への経路を表示するナビゲーション端末をさらに含んで構成され、前記サーバの前記第２の記憶部は、管轄地域の地図データをさらに記憶し、前記サーバの前記処理部は、当該電力量計の位置データ及びその位置データ付近の地図データを前記ナビゲーション端末に送信し、前記ナビゲーション端末は、前記サーバから当該電力量計の位置データ及び当該地図データを受信し、ＧＰＳ衛星から受信したＧＰＳ信号又は最寄りの無線通信機器から受信した位置データにより特定した現在地を起点とし、当該電力量計の位置データを終点とする経路を当該地図データ上に示したものを表示することを特徴とする。
【０００９】
この構成によれば、通常のナビゲーションシステムでは詳細に特定できない個人宅の位置データを、電力量計の無線通信機器からサーバ経由で取得できるので、需要家までの経路を表示することができる。これによれば、需要家周辺の地理に詳しくなくても、迷うことなく需要家に到達することができ、故障対応作業を行うので、電力設備の故障時間を短縮することができる。
【００１０】
なお、本発明は、故障状況確認方法を含む。その他、本願が開示する課題およびその解決方法は、発明を実施するための最良の形態の欄、及び図面により明らかにされる。
【発明の効果】
【００１１】
本発明によれば、無線通信により需要家の電力設備の故障状況を知ることができ、故障状況に応じて対応することができる。
【発明を実施するための最良の形態】
【００１２】
以下、図面を参照しながら、本発明を実施するための最良の形態を説明する。本発明の実施の形態に係る故障状況確認システムは、電力量計と通信可能な無線通信機器と、電力会社の営業所などに設置されたサーバとが、無線ネットワークを介したデータ通信を行いながら、需要家からの電力設備の故障（停電など）の連絡を受けて対応するものである。また、無線通信機器及びサーバと通信可能な端末が、必要に応じてその一端を担う。
【００１３】
≪システムの構成≫
図１は、故障状況確認システム１の構成を示す図である。故障状況確認システム１は、１組以上の電力量計２及び無線通信機器３、１以上の端末（ナビゲーション端末）４並びにサーバ５が、無線ネットワーク６を介して通信可能に接続されて構成される。電力量計２は、需要家ごとに設置された計器であり、従来電力会社の担当者が検針時に見て回っていたものである。無線通信機器３は、電力量計２の１次側から電圧データや電流データなどを取得しつつ、サーバ５からの要求に応じて又は定期的に電力量計２に関するデータを送信する。無線通信機器３は、データ発信装置などによって実現されるが、電力量計２の外部に通信可能に設置されてもよいし、電力量計２に内蔵されてもよい。端末４は、電力会社の担当者が故障対応のために需要家宅に出向く場合に携行し、需要家宅までの経路を参照する端末である。端末４は、ナビゲーション機能を備えた、携帯情報機器（ＰＤＡ：Personal Digital Assistant）や携帯電話などの携帯端末によって実現される。サーバ５は、電力会社の営業所などに設置され、需要家から電力設備の故障の連絡があった場合に、当該需要家宅の電力量計２に関するデータを無線通信機器３から受信し、そのデータに応じて故障の原因を表示するものである。サーバ５は、サーバ用コンピュータによって実現される。無線ネットワーク６は、無線通信機器３、端末４及びサーバ５を相互に通信可能とする無線通信網である。
【００１４】
≪装置の構成≫
続いて、故障状況確認システム１の各装置の構成について説明する。まず、図２は、電力量計２及び無線通信機器３の構成を示す図である。電力量計２は、電圧計２１及び電流計２２を備える。電圧計２１は、所定の時間ごとに電圧データを計測し、無線通信機器３に送信する。電流計２２は、所定の時間ごとに電流データを計測し、無線通信機器３に送信する。
【００１５】
無線通信機器３は、通信部３１、処理部３２及び記憶部３３を備える。通信部３１は、無線ネットワーク６を介して端末４又はサーバ５と通信するものであり、無線ネットワーク接続機器などによって実現される。処理部３２は、無線通信機器３全体を制御するものであり、ＣＰＵ（Central Processing Unit）が所定のメモリに格納されたプログラムを実行することによって実現される。記憶部３３は、処理部３２の指示によってデータを記憶したり、記憶したデータを読み出したりするものであり、フラッシュメモリやハードディスク装置などの不揮発性記憶装置によって実現される。
【００１６】
記憶部３３は、計器番号３３１、位置データ３３２、電圧データ３３３及び電流データ３３４（以下、まとめて電力量計データともいう）を含んで記憶する。計器番号３３１は、当該無線通信機器３が通信可能になっている電力量計２に固有の番号である。なお、このデータの役割としては、需要家宅に設置された電力量計２を特定可能であればよいので、計器番号の代わりに、例えば、需要家の契約番号を用いてもよい。位置データ３３２は、当該無線通信機器３が通信可能になっている電力量計２の位置（緯度、経度）を示すデータである。計器番号３３１及び位置データ３３２は、当該無線通信機器３が電力量計２と通信可能に設置される場合に予め記憶部３３に記憶するデータである。電圧データ３３３は、電力量計２の電圧計２１によって計測された電圧のデータである。電流データ３３４は、電力量計２の電流計２２によって計測された電流のデータである。電圧データ３３３及び電流データ３３４は、処理部３２が所定の時間ごと又は随時電力量計２の電圧計２１及び電流計２２からアダプタ７を通じて取得し、記憶部３３に記憶するデータである。アダプタ７は、電圧計２１及び電流計２２と、処理部３２とを接続するものであり、図２に示すように電力量計２と、無線通信機器３との間に設けてもよいし、電力量計２又は無線通信機器３に内蔵するような構成であってもよい。
【００１７】
次に、図３は、端末４の構成を示す図である。端末４は、通信部４１、入力部４２、表示部４３、ＧＰＳ信号受信部４４、処理部４５及び記憶部４６を備える。通信部４１は、無線ネットワーク６を介して無線通信機器３及びサーバ５と通信するものであり、無線ネットワーク接続機器などによって実現される。入力部４２は、目的地である需要家宅に係る電力量計２の計器番号を入力する操作を受けて、その計器番号を取得し、処理部４５に渡す。入力部４２は、携帯情報端末の操作ボタンなどによって実現される。表示部４３は、処理部４５の指示によって地図上に示された経路などを表示する。表示部４３は、携帯情報端末の液晶ディスプレイなどによって実現される。ＧＰＳ信号受信部４４は、ＧＰＳ衛星から発信されるＧＰＳ信号（時間情報）を受信するものであり、受信したＧＰＳ信号を処理部４４に渡す。なお、ＧＰＳ信号受信部４４が、ＧＰＳ信号から端末４の位置データ（緯度、経度）を算出し、処理部４４に渡すようにしてもよい。処理部４５は、各部間のデータの受け渡しを行いながら、端末４全体を制御するものであり、ＣＰＵが所定のメモリに格納されたプログラムを実行することによって実現される。処理部４５は、例えば、通信部４１が受信した地図データを記憶部４６に記憶したり、ＧＰＳ信号受信部４４が受信した信号から端末４の位置データ（緯度、経度）を算出し、算出した位置データを記憶部４６に記憶したりする。記憶部４６は、処理部４５からの指示により、データを記憶したり、記憶したデータを読み出したりするものであり、フラッシュメモリやハードディスク装置などの不揮発性記憶装置によって実現される。
【００１８】
記憶部４６は、地図データ４６１、現在地データ４６２及び目的地データ４６３を含んで記憶する。地図データ４６１は、目的地（終点）である需要家宅付近の地図データであり、通信部４１がサーバ５から受信したデータである。現在地データ４６２は、現在地（起点）を示すデータであり、ＧＰＳ信号受信部４４が受信したＧＰＳ信号から算出されたデータであってもよいし、通信部４１が受信した最寄りの無線通信機器３の位置データ３３２であってもよい。目的地データ４６３は、目的地（終点）を示すデータであり、入力部４２が取得した計器番号に対応して、通信部４１がサーバ５から受信した電力量計２の位置データである。なお、処理部４５が、記憶部４６に記憶された地図データ４６１、現在地データ４６２及び目的地データ４６３を表示部４３に表示することによって、地図上に現在地から目的地までの経路を示したものが表示される。
【００１９】
続いて、図４は、サーバ５の構成を示す図である。サーバ５は、通信部５１、入力部５２、表示部５３、処理部５４及び記憶部５５を備える。通信部５１は、無線ネットワーク６を介して無線通信機器３及び端末４と通信するものであり、無線ネットワーク接続機器などによって実現される。入力部５２は、需要家から電力設備の故障連絡を受けた場合に、当該需要家宅に設置された電力量計２の計器番号を入力する操作を受けて、その計器番号を取得し、処理部５４に渡す。表示部５３は、処理部５４からの指示により、電力設備の故障の原因などを表示する。処理部５４は、各部間のデータの受け渡しを行いながら、サーバ５全体を制御するものであり、ＣＰＵが所定のメモリに格納されたプログラムを実行することによって実現される。記憶部５５は、処理部５４の指示により、データを記憶したり、記憶したデータを読み出したりするものであり、フラッシュメモリやハードディスク装置などの不揮発性記憶装置によって実現される。
【００２０】
記憶部５は、地図データ５５１、配電系統データ５５２、計器番号５５３、位置データ５５４、電圧データ５５５及び電流データ５５６を含んで記憶する。地図データ５５１は、当該サーバ５が設置された営業所の管轄地域を網羅する地図データである。配電系統データ５５２は、当該サーバ５が設置された営業所の管轄地域内にある配電系統の構成を示すデータであり、各需要家に設置された電力量計２の計器番号を含む。計器番号５５３、位置データ５５４、電圧データ５５５及び電流データ５５６は、無線通信機器３の記憶部３３に記憶された計器番号３３１、位置データ３３２、電圧データ３３３及び電流データ３３４と同様であり、処理部５４が、入力部５２から渡された計器番号を元にして無線通信機器３に要求し、取得したデータである。なお、それらのデータは、処理部４が各無線通信機器３から定期的に又は随時取得するようにしてもよい。
【００２１】
≪システムの処理≫
図５は、故障状況確認システム１の処理を示すフローチャートである。図５のフローチャートでは、サーバ５の処理を中心に説明し、無線通信機器３及び端末４の処理については必要に応じて実施の形態の中で説明する。
【００２２】
まず、サーバ５は、需要家からの電力設備に係る故障連絡を受け付ける（ステップＳ５０１）。次に、故障連絡を受けた需要家宅に設置された電力量計２の計器番号を取得する（ステップＳ５０２）。ステップＳ５０１及びステップＳ５０２の処理においては、サーバ５の処理部５４は、入力部５２を介して営業所の担当者の入力操作から故障連絡及び計器番号を取得してもよいし、通信部５１を介して需要家が使用する所定の端末から故障連絡及び計器番号を受信してもよい。
【００２３】
そして、サーバ５は、取得した電力量計２の計器番号を元にして、需要家宅の電力量計データを要求し、取得する（ステップＳ５０３）。この処理においては、まず、サーバ５の処理部５４が計器番号を含む電力量計データ要求メッセージを通信部５１経由で無線ネットワーク６に流す。無線通信機器３では、処理部３２が通信部３１経由で当該メッセージを受信し、当該メッセージ内の計器番号と、記憶部３３に記憶された計器番号３３１とが一致するか否かを判定する。一致すれば、電力量計データをサーバ５に返信する。一致しなければ、何も応答しない。サーバ５では、通信部５１が、当該メッセージ内の計器番号と計器番号３３１とが一致すると判定した無線通信機器３から電力量計データを受信する。そして、処理部５４が通信部５１から当該電力量計データを取得し、記憶部５５に計器番号５５３、位置データ５５４、電圧データ５５５及び電流データ５５６として記憶する。
【００２４】
続いて、サーバ５は、取得した電力量計２の計器番号を元にして、需要家宅周辺の電力量計データを要求し、取得する（ステップＳ５０４）。ここで、「需要家宅周辺」とは、需要家宅と同じバンク（１つの柱上変圧器が電力を供給する範囲）内のことをいい、記憶部５５に記憶された配電系統データ５５２を参照して、「需要家宅周辺」にある電力量計２の計器番号を特定する。その後は、ステップＳ５０３と同様の手順を行うことによって、電力量計データを取得し、記憶部５５に記憶する。なお、ステップＳ５０３及びステップＳ５０４の処理は、需要家から故障連絡を受け付けてから行うのではなく、定期的に行って、過去一週間分程度の電力量計データを記憶部５５に記憶するようにしておき、故障連絡を受けたときには、すぐに記憶部５５の電力量計データを参照するようにしてもよい。また、サーバ５は、電力量計データ要求メッセージを送信することなく、各無線通信機器３から定期的に電力量計データを受信するようにしてもよい。
【００２５】
そこで、サーバ５の処理部５４は、記憶部５５に記憶した電圧データ５５５を参照し、チェックしながら、電力設備の故障の原因を判断する。まず、需要家宅の電圧データ５５５が０より大きいか否かをチェックする（ステップＳ５０５）。０より大きくない、すなわち、０であれば（ステップＳ５０５のＮＯ）、需要家宅周辺の電圧データ５５５が正常であるか否かをチェックする（ステップＳ５０６）。ここで、電圧データ５５５が正常であるか否かは、電圧データ５５５が所定値以上であるか否かによってチェックする。なお、定期的に電力量計データを記憶部５５に記憶している場合には、ステップＳ５０６で需要家宅周辺の電力量計２の計器番号５５３を特定し、特定した計器番号５５３の電圧データ５５５をチェックする必要がある。正常であれば（ステップＳ５０６のＹＥＳ）、引込線などの故障であると判断する（ステップＳ５０７）。この場合、判断した故障の原因を表示部５３に表示してもよい（以下、他の故障の判断時も同様）。一方、正常でなければ（ステップＳ５０６のＮＯ）、柱上変圧器の保護装置のヒューズ切れなどの故障であると判断する（ステップＳ５０８）。
【００２６】
ステップＳ５０５のチェックで需要家宅の電圧データ５５５が０より大きければ（ステップＳ５０５のＹＥＳ）、単相３線式で、片相のみ電圧が０より大きいか否かをチェックする（ステップＳ５０９）。ステップＳ５０９の条件に該当しなければ（ステップＳ５０９のＮＯ）、ヒューズ切れ、引込断線などであると判断する（ステップＳ５１０）。ステップＳ５０７、ステップＳ５０８及びステップＳ５０９で判断した故障は、電力会社の担当者が現地の需要家宅まで出向いて対応する必要があるので、需要家宅の位置が把握できるようにするために、サーバ５は、担当者が携行する端末４にナビゲーションデータを送信する（ステップＳ５１１）。ここで、ナビゲーションデータとは、端末４で需要家宅までの経路を表示するのに必要なデータを示し、記憶部５５に記憶された地図データ５５１のうち、需要家宅周辺の地図データ、及び需要家宅に設置された電力量計２の位置データ５５４が該当する。
【００２７】
端末４では、通信部４１がサーバ５からナビゲーションデータを受信し、処理部４５がナビゲーションデータを取得し、記憶部６に地図データ４６１及び目的地データ４６３として記憶する。次に、処理部４５が、通信部４１が最寄りの無線通信機器３から受信した電力量計２の位置データ、又はＧＰＳ信号受信部４４からＧＰＳ衛星から受信したＧＰＳ信号に基づいて、現在地の位置データを算出し、記憶部４６に現在地データ４６２として記憶する。そして、処理部４５が、現在地データ４６２を起点とし、目的地データ４６３を終点とする経路を特定し、特定した経路を地図データ４６１上に示したものを表示部４３に表示する。これにより、電力会社の担当者は、端末４の表示部４３を参照することで需要家宅まで経路を知ることができるので、需要家宅付近の地理に詳しくない場合であっても、程なく需要家宅に着くことができ、速やかに故障対応の作業を行うことができる。なお、担当者が端末４の入力部４２により出向くべき需要家宅の計器番号を入力し、端末４の処理部４５が当該計器番号を含むナビゲーションデータ要求メッセージをサーバ５に送信することで、サーバ５からナビゲーションデータを受信するようにしてもよい。
【００２８】
ステップＳ５０９の条件に該当すれば（ステップＳ５０９のＹＥＳ）、需要家宅に設置された電力量計２の電圧は正常ということになるので、サーバ５の処理部５４は、屋内線故障であると判断する（ステップＳ５１２）。なお、需要家宅に設置された電力量計２の電圧が所定値以上である場合に、電圧が正常であるとし、屋内線故障であると判断してもよい。屋内線故障であると判断した場合、ブレーカが落ちていることが想定されるので、需要家にブレーカ操作を依頼する（ステップＳ５１３）。具体的には、需要家の電話番号やメールアドレスにブレーカ操作を依頼するメッセージを送信する。なお、サーバ５の処理部５４がステップＳ５１２で判断した故障の原因を表示部５３に表示し、営業所の担当者がその故障の原因を見て、需要家にブレーカ操作を依頼することも考えられる。
【００２９】
なお、ステップＳ５０３ないしＳ５１３の処理は、無線ネットワーク６を通じて行うので、サーバ５を営業所に設置したり、サーバ５又はそれに代わる装置を車両に搭載したりすれば、営業所や移動車両などの場所を問わず実行することができる。
【００３０】
以上本発明の実施の形態について説明したが、無線通信機器３、端末４及びサーバ５の各部を機能させるために、各処理部で実行されるプログラムをコンピュータにより読み取り可能な記録媒体に記録し、その記録したプログラムをコンピュータに読み込ませ、実行させることにより、本発明の実施の形態に係る故障状況確認システム１が実現されるものとする。なお、プログラムをインターネットなどのネットワーク経由でコンピュータに提供してもよいし、プログラムが書き込まれた半導体チップなどをコンピュータに組み込んでもよい。
【００３１】
以上説明した本発明の実施の形態によれば、ステップＳ５０７、Ｓ５０８、Ｓ５１０及びＳ５１２に示したように、電力設備に係る故障の原因が特定できるので、誰がどういう体制で行くべきか、何を持って行くべきかなどについて事前に検討し、準備することができる。また、端末４に需要家までの経路を表示することができるので、需要家周辺の地理に詳しくなくても、迷うことなく需要家に到達することができる。以上によれば、故障時間や停電時間の短縮を図ることができる。
【００３２】
なお、電力量計２は、電力を使用する家庭であれば必ず取り付けられているものなので、個人宅を検索するのが容易になる。従って、故障状況確認システム１は、郵便や宅配便などの配送にも有効に利用できる。電力量計２の１次側に電源があるため、契約が廃止されている家庭でも、その電源を無線通信機器３に使用でき、位置データの取得が可能になる。
【００３３】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、前記実施の形態においては、電力設備に係る故障の原因についての判断に電力量計２の電圧データを用いるように記載したが、電力量計２の電流データを用いるようにしてもよい。例えば、過去２４時間分の電流データを保持することで、同じ変圧器から電力の供給を受けている２以上の需要家に設置された電力量計２の電流データの合計値が所定値を超えた場合には、当該変圧器のヒューズの交換が必要であるという判断を行うことができる。電流データの時間的変化によって、ヒューズ切れの原因が短絡の大電流によるものなのか、過負荷によるものなのかを判断することができる。
【図面の簡単な説明】
【００３４】
【図１】故障状況確認システム１の構成を示す図である。
【図２】電力量計２及び無線通信機器３の構成を示す図である。
【図３】端末４の構成を示す図である。
【図４】サーバ５の構成を示す図である。
【図５】故障状況確認システム１の処理を示すフローチャートである。
【符号の説明】
【００３５】
１      故障状況確認システム
２      電力量計
３      無線通信機器
３３    記憶部（第１の記憶部）
４      端末（ナビゲーション端末）
５      サーバ
５２    入力部
５３    表示部
５４    処理部
５５    記憶部（第２の記憶部）
５５１  地図データ
５５２  配電系統データ
５５３  計器番号（電力量計の番号）
５５４  位置データ
５５５  電圧データ
６      無線ネットワーク
【図１】
2008022676.tif 000003
【図２】
2008022676.tif 000004
【図３】
2008022676.tif 000005
【図４】
2008022676.tif 000006
【図５】
2008022676.tif 000007